(57)【要約】【課題】開き部を容易に開くことができるスライドファスナーを使用した製品を提供する。【解決手段】製品であるポーチＰの開口部Ｐ２にスライドファスナー１０が取り付けられ、スライドファスナー１０の一対のファスナーエレメント列３０に少なくとも１つの非噛合領域３２が設けられ、非噛合領域３２に対応する位置に操作部５０が設けられる。【選択図】図２
2017124062.tif 000002
【特許請求の範囲】
【請求項１】
一対のファスナーテープ（２０）と、前記一対のファスナーテープ（２０）の対向するテープ側縁部にそれぞれ取り付けられ、噛合頭部を備える複数のファスナーエレメント（３１）を有する一対のファスナーエレメント列（３０）と、前記一対のファスナーエレメント列（３０）を噛合・分離させるスライダー（４０）と、を備えるスライドファスナー（１０）を使用した製品（Ｐ，ＷＡ，ＷＢ）であって、
前記製品（Ｐ，ＷＡ，ＷＢ）の開き部（Ｐ２，ＷＡ１，ＷＢ２）に前記スライドファスナー（１０）が取り付けられ、
前記一対のファスナーエレメント列（３０）に少なくとも１つの非噛合領域（３２）が設けられ、
前記非噛合領域（３２）に対応する位置に操作部（５０，５１）が設けられることを特徴とするスライドファスナー（１０）を使用した製品（Ｐ，ＷＡ，ＷＢ）。
【請求項２】
前記非噛合領域は、前記複数のファスナーエレメントのうち、少なくとも１〜６個分の前記噛合頭部が欠如したファスナーエレメントからなることを特徴とする請求項１に記載のスライドファスナー（１０）を使用した製品（Ｐ，ＷＡ，ＷＢ）。
【請求項３】
前記非噛合領域（３２）は、前記一対のファスナーエレメント列（３０）の長さ方向において１つ設けられ、
前記操作部（５０）は、帯状又は紐状部材であって、前記１つの非噛合領域（３２）の幅方向片側もしくは幅方向両側に取り付けられることを特徴とする請求項１又は２に記載のスライドファスナー（１０）を使用した製品（Ｐ，ＷＡ，ＷＢ）。
【請求項４】
前記非噛合領域（３２）は、前記一対のファスナーエレメント列（３０）の長さ方向において２つ設けられ、
前記操作部（５０）は、帯状又は紐状部材であって、前記２つの非噛合領域（３２）に跨るように取り付けられることを特徴とする請求項１又は２に記載のスライドファスナー（１０）を使用した製品（Ｐ，ＷＡ，ＷＢ）。
【発明の詳細な説明】
【技術分野】
【０００１】
この発明は、スライドファスナーを使用した製品に関し、詳しくは、例えば、簡易分離型のスライドファスナーを使用した製品に関する。
【背景技術】
【０００２】
従来の簡易分離型のスライドファスナーとしては、左右一対のファスナーテープと、左右のファスナーテープの対向するテープ側縁部にそれぞれ取り付けられ、複数のファスナーエレメントを有する左右一対のファスナーエレメント列と、左右のファスナーエレメント列を噛合・分離させるスライダーと、を備え、左右のファスナーエレメント列に複数の非噛合部が所定の間隔を存して設けられるものが知られている（例えば、特許文献１参照）。そして、上記特許文献１に記載のスライドファスナーでは、左右のファスナーエレメント列の非噛合部に左右方向外側への引っ張り力（横引き力）をかけることにより、噛合状態の左右のファスナーエレメント列を非噛合部から順次分離して、スライドファスナーをバーストさせることができる。
【先行技術文献】
【特許文献】
【０００３】
【特許文献１】国際公開第２０１４／１０３００１号
【発明の概要】
【発明が解決しようとする課題】
【０００４】
ところで、上記特許文献１に記載の簡易分離型のスライドファスナーでは、非噛合部から離れた位置の噛合状態のファスナーエレメントに引っ張り力をかけた場合、左右のファスナーエレメント列が分離しないことがある。このため、この簡易分離型のスライドファスナーを例えば製品であるポーチの開口部（開き部）に使用した場合において、上記したように非噛合部から離れた位置の噛合状態のファスナーエレメントに引っ張り力をかけたとしても、スライドファスナーがバーストせず、ポーチの開口部を開けないことがあった。
【０００５】
本発明は、前述した事情に鑑みてなされたものであり、その目的は、開き部を容易に開くことができるスライドファスナーを使用した製品を提供することにある。
【課題を解決するための手段】
【０００６】
本発明の上記目的は、下記の構成により達成される。
（１）一対のファスナーテープと、一対のファスナーテープの対向するテープ側縁部にそれぞれ取り付けられ、噛合頭部を備える複数のファスナーエレメントを有する一対のファスナーエレメント列と、一対のファスナーエレメント列を噛合・分離させるスライダーと、を備えるスライドファスナーを使用した製品であって、製品の開き部にスライドファスナーが取り付けられ、一対のファスナーエレメント列に少なくとも１つの非噛合領域が設けられ、非噛合領域に対応する位置に操作部が設けられることを特徴とするスライドファスナーを使用した製品。
（２）非噛合領域は、複数のファスナーエレメントのうち、少なくとも１〜６個分の噛合頭部が欠如したファスナーエレメントからなることを特徴とする（１）に記載のスライドファスナーを使用した製品。
（３）非噛合領域は、一対のファスナーエレメント列の長さ方向において１つ設けられ、操作部は、帯状又は紐状部材であって、１つの非噛合領域の幅方向片側もしくは幅方向両側に取り付けられることを特徴とする（１）又は（２）に記載のスライドファスナーを使用した製品。
（４）非噛合領域は、一対のファスナーエレメント列の長さ方向において２つ設けられ、操作部は、帯状又は紐状部材であって、２つの非噛合領域に跨るように取り付けられることを特徴とする（１）又は（２）に記載のスライドファスナーを使用した製品。
【発明の効果】
【０００７】
本発明によれば、一対のファスナーエレメント列に少なくとも１つの非噛合領域が設けられ、非噛合領域に対応する位置に操作部が設けられるため、操作部を操作することにより、製品の開き部を容易に開くことができる。
【図面の簡単な説明】
【０００８】
【図１】本発明に係るスライドファスナーを使用した製品の一実施形態であるポーチを説明する斜視図である。
【図２】図１に示すスライドファスナーの周辺の拡大表面図である。
【図３】図２に示す持ち手の周辺の拡大表面図である。
【図４】図２に示すスライドファスナーをバーストさせた状態の拡大表面図である。
【図５】スライドファスナーの第１変形例を説明する拡大表面図である。
【図６】スライドファスナーの第２変形例を説明する拡大表面図である。
【図７】スライドファスナーの第３変形例を説明する拡大表面図である。
【図８】スライドファスナーの第４変形例を説明する拡大表面図である。
【図９】スライドファスナーを使用した製品の第１変形例を説明する斜視図である。
【図１０】スライドファスナーを使用した製品の第２変形例を説明する斜視図である。
【発明を実施するための形態】
【０００９】
以下、本発明に係るスライドファスナーを使用した製品の一実施形態について、図面に基づいて詳細に説明する。なお、以後の説明において、スライドファスナーに関しては、表側とは図２の紙面に対して手前側、裏側とは図２の紙面に対して奥側、上側とは図２の紙面に対して上側、下側とは図２の紙面に対して下側、左側とは図２の紙面に対して左側、右側とは図２の紙面に対して右側とする。また、左右方向は幅方向とも言う。また、上下方向は長さ方向とも言う。
【００１０】
本実施形態のスライドファスナーを使用した製品であるポーチＰは、図１に示すように、布製のポーチ本体Ｐ１と、ポーチ本体Ｐ１の上面Ｐａから両側面Ｐｂに亘って形成される開口部（開き部）Ｐ２を閉塞するスライドファスナー１０と、を備える。スライドファスナー１０は、開口部Ｐ２の縁部の布体Ｐ３に縫着されている。
【００１１】
スライドファスナー１０は、図２に示すように、左右一対のファスナーテープ２０と、左右のファスナーテープ２０の対向するテープ側縁部にそれぞれ取り付けられる左右一対のファスナーエレメント列３０と、左右のファスナーエレメント列３０を噛合・分離させるスライダー４０と、を備える。そして、スライダー４０をファスナーテープ２０の下側に移動させることにより、分離状態の左右のファスナーエレメント列３０が噛合され、スライダー４０をファスナーテープ２０の上側に移動させることにより、噛合状態の左右のファスナーエレメント列３０が分離される。なお、図２中の符号４１は、スライダー４０の引手である。
【００１２】
ファスナーエレメント列３０は、図３に示すように、合成樹脂製のモノフィラメントを一定方向に巻回すことにより形成されるコイル状のファスナーエレメント列であり、複数のファスナーエレメント３１を有する。ファスナーエレメント３１のうち相手側のファスナーエレメント３１と対向する部分には上下方向に突出する噛合頭部３１ａが設けられ、噛合頭部３１ａが相手側の噛合頭部３１ａと噛み合うことでファスナーエレメント３１は噛合状態となる。
【００１３】
また、左右のファスナーエレメント列３０は、相手側の対向するファスナーエレメント３１と噛み合うことが可能な噛合領域と、相手側の対向するファスナーエレメント３１と互いに噛み合うことが不可能な非噛合領域３２と、を備える。
【００１４】
非噛合領域３２は、複数のファスナーエレメント３１のうち、噛合頭部３１ａが欠如した領域からなる部分であり、本実施形態では、２つの非噛合領域３２がファスナーエレメント列３０の長さ方向において所定の間隔を存して設けられている。また、本実施形態では、１つの非噛合領域３２は、左右で４個の噛合頭部３１ａの存在しない非噛合ファスナーエレメント３２ａにより構成されている。また、２つの非噛合領域３２は、ポーチＰの上面Ｐａに配置されている。
【００１５】
なお、１つの非噛合領域における非噛合ファスナーエレメント３２ａの個数は任意であるが、その個数は１〜６個の範囲が好ましい。非噛合ファスナーエレメント３２ａは、左右のファスナーエレメント列３０で少なくとも１個あれば後述するようにスライダーを必要とせずにエレメント列３０同士をバーストすることが可能となる。一方、非噛合ファスナーエレメント３２ａが７個以上になってしまうと、非噛合領域３２が大きくなってしまうことでポーチＰの中から収納物品が落ちてしまう可能である。また、弱い力で用意にバーストしやすくなってしまうため、意図しない外力によってバーストする可能がある。
【００１６】
そして、本実施形態のポーチＰには、２つの非噛合領域３２に対応する位置に左右一対の持ち手（操作部）５０が取り付けられている。この持ち手５０は、布製の帯状部材であって、帯状部材の一端が一方の非噛合領域３２側に、帯状部材の他端が他方の非噛合領域３２側に取り付けられている。つまり、持ち手５０は、ファスナーテープ２０の長さ方向において、２つの非噛合領域３２に跨るように取り付けられている。また、非噛合領域３２に対応する位置とは、非噛合領域３２を構成する非噛合ファスナーエレメント３２ａが存在する範囲Ｒ内のことであり、この範囲Ｒ内に持ち手５０の端部の少なくとも一部が配置されていればよい。
【００１７】
なお、本実施形態では、持ち手５０は、ファスナーテープ２０及びポーチＰの開口部Ｐ２の縁部の布体Ｐ３の両方に縫着されているが、これに限定されず、ファスナーテープ２０のみ又はポーチＰの開口部Ｐ２の縁部の布体Ｐ３のみに縫着されていてもよい。即ち、非噛合領域３２に対応する位置であれば、持ち手５０を取り付ける部材に制限はない。
【００１８】
このように構成されたポーチＰでは、左右の持ち手５０を幅方向外側に引っ張ることにより、持ち手５０の両端部によりスライドファスナー１０の非噛合領域３２が幅方向外側に離間するように引っ張られて、噛合状態の左右のファスナーエレメント列３０が非噛合領域３２から順次分離して、図４に示すように、スライドファスナー１０がバーストして、ポーチＰの開口部Ｐ２が開かれる。また、バースト状態になったスライドファスナー１０を再度閉じるには、スライダー４０を、左右のファスナーエレメント列３０を分離する方向に移動させた後、左右のファスナーエレメント列３０を噛合する方向に再度移動させる。
【００１９】
以上説明したように、本実施形態のポーチＰによれば、左右のファスナーエレメント列３０に２つの非噛合領域３２が設けられ、２つの非噛合領域３２に対応する位置に持ち手５０が設けられるため、持ち手５０を引っ張ることにより、ポーチＰの開口部Ｐ２を容易に開くことができる。そして、例えば、ポーチＰに医療用品を収容した場合、スライダー４０を操作することなくポーチＰの開口部Ｐ２を開いて、迅速に救急処置を行うことができる。
【００２０】
また、本実施形態の第１変形例として、持ち手５０は、上記実施形態ではファスナーエレメント列３０を挟んだ左右両側に取り付けられているが、図５に示すように、左右どちらか一方に取り付けられていてもよい。
【００２１】
また、本実施形態の第２変形例として、図６に示すように、左右のファスナーエレメント列３０に１つの非噛合領域３２を設け、１つの非噛合領域３２に対応する位置に左右一対のタグ（操作部）５１を取り付けてもよい。
【００２２】
また、本実施形態の第３変形例として、タグ５１は、上記第２変形例ではファスナーエレメント列３０を挟んだ左右両側に取り付けられているが、図７に示すように、左右どちらか一方に取り付けられていてもよい。
【００２３】
また、本実施形態の第４変形例として、図８に示すように、スライドファスナー１０のスライダー４０を２つに変更して、その２つのスライダー４０を連結具６０で連結してもよい。この場合、２つのスライダー４０は、その案内柱４２が互いに向かい合うように配置される。なお、図８中の符号６１は引手となる紐部材であり、符号６０ａは、紐部材６１が挿通される貫通穴である。
【００２４】
そして、本変形例によれば、スライドファスナー１０をバーストさせた状態において、連結された２つのスライダー４０をバーストしている側に移動させるだけで、バースト状態のスライドファスナー１０を再度閉じることができる。従って、上記したスライダー４０が１つの場合のように、バースト状態のスライドファスナー１０を再度閉じるために、スライダー４０を、左右のファスナーエレメント列３０を分離する方向に一度移動させる必要がない。
【００２５】
また、スライドファスナーを使用した製品の第１変形例として、図９に示すように、製品は前開きの上着ＷＡであってもよい。この場合、上着ＷＡの開き部ＷＡ１に、上記スライドファスナー１０を取り付ける。そして、本変形例によれば、左右の持ち手５０を外側に引っ張ることにより、スライドファスナー１０をバーストさせて、例えば、上着ＷＡ内のポケットから物を素早く取り出したりすることができる。
【００２６】
また、スライドファスナーを使用した製品の第２変形例として、図１０に示すように、製品はフード付きの上着ＷＢであってもよい。この場合、上着ＷＢの襟ＷＢ１の後面に形成される開口部（開き部）ＷＢ２に、上記第３変形例のスライドファスナー１０を取り付け、そのタグ５１を開口部ＷＢ２の上側に取り付ける。また、襟ＷＢ１は、袋状に形成されており、その中にフードＷＢ３が収容されている。
【００２７】
そして、使用者がフードＷＢ３を被る場合、タグ５１を上方に引っ張ることにより、スライドファスナー１０をバーストさせて、襟ＷＢ１の中からフードＷＢ３を引っ張り出して被ることとなる。従って、スライダー４０を操作することなく、素早くフードＷＢ３を被ることができる。
【００２８】
なお、本発明は上記実施形態に例示したものに限定されるものではなく、本発明の要旨を逸脱しない範囲において適宜変更可能である。
例えば、非噛合領域は、３個以上であってもよく、その個数及び配置間隔に制限はない。
また、本実施形態のファスナーエレメントは、コイル状のファスナーエレメントであるが、これに限定されず、合成樹脂製のファスナーエレメントや金属製のファスナーエレメントであってもよい。
【符号の説明】
【００２９】
Ｐ      ポーチ（スライドファスナーを使用した製品）
Ｐ１    ポーチ本体
Ｐ２    開口部（開き部）
ＷＡ    上着（スライドファスナーを使用した製品）
ＷＡ１  開き部
ＷＢ    上着（スライドファスナーを使用した製品）
ＷＢ１  襟
ＷＢ２  開口部（開き部）
ＷＢ３  フード
１０    スライドファスナー
２０    ファスナーテープ
３０    ファスナーエレメント列
３１    ファスナーエレメント
３２    非噛合領域
３２ａ  非噛合ファスナーエレメント
４０    スライダー
５０    持ち手（操作部）
Ｒ      非噛合ファスナーエレメントの範囲
【図１】
2017124062.tif 000003
【図２】
2017124062.tif 000004
【図３】
2017124062.tif 000005
【図４】
2017124062.tif 000006
【図５】
2017124062.tif 000007
【図６】
2017124062.tif 000008
【図７】
2017124062.tif 000009
【図８】
2017124062.tif 000010
【図９】
2017124062.tif 000011
【図１０】
2017124062.tif 000012